(57)【要約】    【課題】Ｕベンド管の納入時のみでなく、使用時等においても、その製造履歴を把握でき、確実な品質管理を可能にするマーキング方法、およびそのマーキング方法を実施することができる工程を設けたＵベンド管のオンライン精整処理設備を提供する。    【解決手段】曲げ加工に供される個々のＵベンド素管の製造履歴情報および曲げ加工情報をトラッキング処理装置１に入力し、精整ラインの曲げ加工後で管端切断工程より前に設けたマーキング工程で、自動マーキング装置２によりＵベンド管５の所定位置に前記情報をマーキングする。本発明のオンライン精整処理設備は、曲げ加工後で管端切断工程より前にこの方法を実施できる工程を備えている。【選択図】図２
2008200736.tif 000002
【特許請求の範囲】
【請求項１】
曲げ加工、熱処理、耐圧試験、管端切断、面取りおよび検査・クリーニングの各工程を有するＵベンド管のオンライン精整処理工程において、
曲げ加工に供される個々のＵベンド素管の製造履歴情報および曲げ加工情報をトラッキング処理装置に入力し、
曲げ加工後で管端切断工程より前に設けたマーキング工程まで、各工程に供される個々の管に対応する前記情報をトラッキングし、
マーキング工程で、前記情報をトラッキング処理装置から抽出し、管端切断工程で切断される管の管端相当位置を基準とする管の所定位置に、前記情報を含む識別記号を自動マーキングすることを特徴とするＵベンド管のマーキング方法。
【請求項２】
曲げ加工、熱処理、耐圧試験、管端切断、面取りおよび検査・クリーニングの各工程を有し、曲げ加工後で管端切断工程より前にマーキング工程を設けたＵベンド管のオンライン精整処理設備であって、
曲げ加工に供される個々のＵベンド素管の製造履歴情報および曲げ加工情報ならびに曲げ加工後で管端切断工程より前に設けられたマーキング工程までの各工程に供される個々の管に対応する前記情報が入力されるトラッキング処理装置、および、
前記マーキング工程で、管端切断工程で切断される管の管端相当位置を基準とする管の所定位置を決定し、前記トラッキング処理装置より抽出した情報を含む識別記号を出力し、前記所定位置にマーキングする自動マーキング装置を備えることを特徴とするＵベンド管のオンライン精整処理設備。
【発明の詳細な説明】
【技術分野】
【０００１】
本発明は、化学用、原子力発電用等の熱交換器などに使用されるＵベンド管のマーキング方法、およびそのマーキング方法を実施することができる工程を設けたＵベンド管のオンライン精整処理設備に関する。
【背景技術】
【０００２】
化学用、原子力発電用等の熱交換器などに使用されるＵベンド管は、継目無鋼管あるいは溶接鋼管等を曲げ加工した後、湾曲部を熱処理し、続いて空圧および水圧による耐圧試験、管の曲り修正、管端切断、管端面取りおよび検査・クリーニングを行なった後、梱包して出荷される。
【０００３】
特許文献１には、この曲げ加工、熱処理、耐圧試験、曲り修正、管端切断、面取りおよび検査・クリーニングの精整処理工程をオンラインで行う高能率なＵベンド管の精整処理設備が開示されている。
【０００４】
また、特に原子力発電用の蒸気発生管として用いられるＵベンド管は、多数の管を溶接により管板に固定して使用されるが、使用中において個々の管を識別できるようにすることが、適正な品質管理を行う上で必要とされている。そのため、従来はＵベンド管に所定の符号を記入したラベルを貼り付け、あるいは樹脂製リングを装着して個々の管の識別を行っていた。
【０００５】
しかし、これらの管を識別するためのラベルやリングは、管板への取り付け時にＵベンド管から剥がされるか取り外される。また、管取り扱い作業時に紛失されるおそれもある。そのため、管板への取り付け後に個々の管を識別するのは難しく、取り付けた多数の管の位置とそれら個々の管についての前記所定の符号とを別途記録しておく等の対策が必要であり、品質管理の適正化、効率化を図る上での支障となっていた。
【０００６】
特許文献２には、熱交換器のＵベンド管の管端部近傍に自動マーキングを行い、個々の管をそれぞれ識別する方法が開示されている。この方法ではＵベンド管の管端部の管外面または管内面にリング状のバーコードによるマーキングを施すので、Ｕベンド管を管板に取り付けた後であっても、個々の管を識別することが可能である。前記リング状のバーコードは、管軸線に沿って規則的に離間された規定数の記号で、エンボス加工によって形成される押印である。２進性のコードからなっていて（押印：１、押印の不存在：０、とすることもできる）、渦電流検査プローブの助けにより渦電流が通過する間に解読される。
【０００７】
一方、近年、品質管理の質の向上を図るため、個々の管について、溶鋼番号や素管製造時の作業番号など、Ｕベンド素管の製造履歴まで管理することを要求される場合があり、そのために、例えば、Ｕベンド管の納入時や管板への取り付け加工時のみでなく、蒸気発生器として使用される時点においても、Ｕベンド管の素管製造や曲げ加工における個々の管のトレースが可能でそれら製造履歴を把握できるような確実な管理や、その履歴情報のマーキングが必要となってきた。
【０００８】
【特許文献１】特開平１−２５２３３１号公報
【特許文献２】特開平５−２２３４７９号公報
【発明の開示】
【発明が解決しようとする課題】
【０００９】
前掲の特許文献２に記載される方法では、Ｕベンド管の製造の終わりごろ、または管が曲げられる前に、バーコードを使用してマークを付される。
【００１０】
しかし、曲げ加工前のマーキングでは、個々の曲げ加工用素管の管長さが相違し、また、曲げ加工後の寸法も相違するので、曲げ加工工程後の余長（管端切断で切り落とす長さ）が個々の管によって異なる。そのため、折角マーキングを行っても管端切断工程で所定長さに切断した時にマーキング部分が切り落とされ、あるいは、管板への溶接でマーキングが隠れてしまうという問題がある。
【００１１】
また、Ｕベンド管の製造の終わりごろのマーキングでは、幾つもの処理工程を経由する間に個々の管の処理順序が入れ替わる場合がある。その場合、Ｕベンド管の材質や管サイズなどについて、通常の処理単位での管理とそれに基づくマーキングは可能であるが、Ｕベンド管製造の際の各処理工程内での流れの中で、管を１本毎に確実にトレースし、それに基づき個々の管について素管の製造履歴（溶鋼番号、作業番号等）を確実に把握するのは難しい。
【００１２】
本発明は、上記のような問題を解消し、Ｕベンド管の納入時や、特に原子力発電用の蒸気発生管として用いられる場合には、管板などへの取り付け加工時のみでなく、Ｕベンド管が実際に使用されている時点においても、素管段階の製造履歴や曲げ加工条件等を含むＵベンド管の製造履歴を把握して確実な品質管理ができるように、その履歴情報をＵベンド管の所定の位置にマーキングする方法、およびそのマーキング方法を実施することができる工程を設けたＵベンド管のオンライン精整処理設備を提供することを目的としている。
【課題を解決するための手段】
【００１３】
本発明者は、上記の課題を解決するために検討を重ねた結果、Ｕベンド管の精整処理工程において、曲げ加工後で管端切断前にマーキング工程を設け、さらに、近年の、特に原子力発電用の蒸気発生管として用いられるＵベンド管に対する要求（すなわち、蒸気発生器としての使用時点においても、Ｕベンド管の素管製造や曲げ加工において個々の管をトレースし、製造履歴を把握できること）に応えるべく、Ｕベンド素管の製造履歴を含む履歴情報をマーキングすることとした。
【００１４】
本発明の要旨は、下記（１）のＵベンド管のマーキング方法、および（２）のＵベンド管のオンライン精整処理設備にある。
【００１５】
（１）曲げ加工、熱処理、耐圧試験、管端切断、面取りおよび検査・クリーニングの各工程を有するＵベンド管のオンライン精整処理工程において、曲げ加工に供される個々のＵベンド素管の製造履歴情報および曲げ加工情報をトラッキング処理装置に入力し、曲げ加工後で管端切断工程より前に設けたマーキング工程まで、各工程に供される個々の管に対応する前記情報をトラッキングし、マーキング工程で、前記情報をトラッキング処理装置から抽出し、管端切断工程で切断される管の管端相当位置を基準とする管の所定位置に、前記情報を含む識別記号を自動マーキングすることを特徴とするＵベンド管のマーキング方法。
【００１６】
（２）曲げ加工、熱処理、耐圧試験、管端切断、面取りおよび検査・クリーニングの各工程を有し、曲げ加工後で管端切断工程より前にマーキング工程を設けたＵベンド管のオンライン精整処理設備であって、曲げ加工に供される個々のＵベンド素管の製造履歴情報および曲げ加工情報ならびに曲げ加工後で管端切断工程より前に設けられたマーキング工程までの各工程に供される個々の管に対応する前記情報が入力されるトラッキング処理装置、および、前記マーキング工程で、管端切断工程で切断される管の管端相当位置を基準とする管の所定位置を決定し、前記トラッキング処理装置より抽出した情報を含む識別記号を出力し、前記所定位置にマーキングする自動マーキング装置を備えることを特徴とするＵベンド管のオンライン精整処理設備。
【発明の効果】
【００１７】
本発明のＵベンド管のマーキング方法によれば、Ｕベンド管のオンライン精整処理中に、個々のＵベンド素管の製造履歴情報および曲げ加工情報をそれぞれの管の所定位置にマーキングすることができ、Ｕベンド管の納入時や、特に原子力発電用の蒸気発生管として用いられる場合には、管板への取り付け加工時のみでなく、蒸気発生器として実際に使用されている時点においても、個々の管の製造履歴を把握でき、確実な品質管理が可能となる。
【００１８】
また、本発明のＵベンド管のオンライン精整処理設備を使用すれば、精整処理工程の特定の段階（曲げ加工後で管端切断工程より前）にマーキング工程が設けられているので、オンラインで支障なく前記マーキング方法を実施することができる。
【発明を実施するための最良の形態】
【００１９】
以下に、前記（１）に記載の本発明のＵベンド管のマーキング方法、および（２）に記載のＵベンド管のオンライン精整処理設備について、具体的に説明する。
【００２０】
本発明のＵベンド管のマーキング方法は、前記のように、曲げ加工、熱処理、耐圧試験、管端切断、面取りおよび検査・クリーニングの各工程を有するＵベンド管のオンライン精整処理工程において、曲げ加工に供される個々のＵベンド素管の製造履歴情報および曲げ加工情報をトラッキング処理装置に入力し、曲げ加工後で管端切断工程より前に設けたマーキング工程まで、各工程に供される個々の管に対応する前記情報をトラッキングし、マーキング工程で、前記情報を処理装置から抽出し、管端切断工程で切断される管の管端相当位置を基準とした管の所定位置に、前記情報を含む識別記号を自動マーキングする方法である。
【００２１】
図１は、本発明のマーキング方法を適用しようとするＵベンド管のオンライン精整処理工程を例示する概略図である。マーキング工程は曲げ加工後で管端切断工程より前、すなわち、同図中に二点鎖線の矢印を付して示したＡからＢの範囲内に設けられる。
【００２２】
図１において、曲げ加工、熱処理、耐圧試験、管端切断、面取りおよび検査・クリーニングの各工程における操作は、例えば前掲の特許文献１に記載されるＵベンド管の精整処理設備により、以下のように実施することができる。なお、マーキング工程については、後述する。
【００２３】
曲げ加工に供される個々のＵベンド素管は、曲げ加工工程で、常法により１本ずつ曲げ加工され、所定の曲げ半径を有するＵベンド管（このＵベンド管は、精整処理を終えた製品としてのＵベンド管とは異なるが、便宜上「Ｕベンド管」と記す）となる。得られたＵベンド管は、例えばリフター付き台車式ラック装置に載置される。
【００２４】
Ｕベンド管は、リフター付き台車式ラック装置から１本ずつ横行起重機で吊上げられて湾曲部熱処理装置へ搬入され、直接通電方式により湾曲部が熱処理される。
【００２５】
熱処理後、Ｕベンド管は再び横行起重機で吊上げられて耐圧試験装置へ搬入される。耐圧試験工程では、Ｕベンド管をベルトコンベアにより所定の位置に移動させ、昇降式クランプ装置で固定した後、耐圧テストヘッドを前進させて耐圧試験をする。耐圧試験は空圧テスター、水圧テスターにより行なわれる。なお、試験後のＵベンド管は脱水乾燥装置で脱水乾燥される。
【００２６】
耐圧試験が終了した後、Ｕベンド管はベルトコンベアで管端切断・形状修正定盤装置へ搬入され、定盤上に搬送、載置されて形状修正された後、所定の位置でクランプ固定され、管端切断装置により管端を切断される。
【００２７】
切断終了後、管端面取り装置へ搬送されたＵベンド管は、クランプ装置で固定され、前後および左右移動可能な面取機本体が移動して片方ずつ面取する。
【００２８】
面取り後、Ｕベンド管はベルトコンベアで、検査・クリーニング装置へ搬入され、検査およびクリーニングに供される。検査・クリーニングが終了したＵベンド管は、製品として梱包、出荷される。
【００２９】
上記Ｕベンド管のオンライン精整処理工程において、本発明のＵベンド管のマーキング方法を適用するに際し、先ず、『曲げ加工に供される個々のＵベンド素管の製造履歴情報および曲げ加工情報をトラッキング処理装置に入力』する。
【００３０】
これは、後述するマーキング工程で、これらの情報をトラッキング処理装置から抽出し（すなわち、電気的信号として取り出し）、識別記号としてＵベンド管の所定位置にマーキングするためである。プロセスコンピュータやビジネスコンピュータで管理しているＵベンド素管の製造履歴情報および曲げ加工情報を、精整処理設備への個々の管の供給順にしたがってトラッキング処理装置に入力する。なお、Ｕベンド素管の製造履歴情報や、曲げ半径、足長さ（曲げ後の直管部の長さ）などの規定された曲げ加工情報は、予め曲げ加工前に入力しておけるが、その他の曲げ加工情報や不良品のライン外への排出情報等については、曲げ加工時にデータ入力される場合もある。
【００３１】
前記の「曲げ加工に供されるＵベンド素管の製造履歴情報」としては、作業番号（これにより、熱間加工、冷間加工での加工条件や熱処理履歴が判る）、ロット番号、溶鋼番号、寸法（外径、肉厚）、材質、規格などがある。
【００３２】
「曲げ加工情報」としては、曲げ半径、足長さ、展開長さ、曲げ開始側か曲げ終了側かの判別などがあげられる。
【００３３】
続いて、『曲げ加工後で管端切断工程より前に設けたマーキング工程まで、各工程に供される個々の管に対応する前記情報をトラッキング』する（つまり、前記情報をトラッキング処理装置に入力する）。なお、「前記情報」とは、Ｕベンド素管の製造履歴情報および曲げ加工情報である。
【００３４】
マーキング工程を曲げ加工後に設けるのは、マーキング位置を曲げ加工後の管の周方向で一定の位置とすることができ、マークの確認を簡便に行えるからである。
【００３５】
また、マーキング工程を管端切断工程より前に設けるのは、管端切断工程後、例えば、Ｕベンド管の製造の終わりごろにマーキングするのでは、前述のように、精整処理工程の中で個々の管の処理順序が入れ替わるなどして、管１本毎の確実なトレースが難しくなる場合があるからである。不良品の排出情報の入力忘れなどによる後続管の履歴情報への影響（各管への異なった情報の付与のおそれ）等を避けるためにも、曲げ加工後、できるだけ前工程でマーキングするのが望ましい。
【００３６】
すなわち、前記図１に、マーキング工程を設ける範囲をＡからＢの範囲内として示しているが、この範囲内でも、極力曲げ加工工程に近いところに設けるのが望ましい。
【００３７】
曲げ加工からこのマーキング工程まで、各工程に供される個々の管に対応する前記情報をトラッキングするのは、トラッキング処理装置に予めまたは曲げ加工時に入力した個々のＵベンド素管の製造履歴情報および曲げ加工情報を補充するためである。例えば、精整処理の途中で不良等のため管がライン外へ排出された場合は、その不良管の履歴情報および排出情報（不良管情報）を入力し、後続管の履歴情報に影響しないようにする。
【００３８】
さらに、本発明のＵベンド管のマーキング方法においては、『マーキング工程で、前記情報をトラッキング処理装置から抽出し、管端切断工程で切断される管の管端相当位置を基準として、管の所定位置に前記情報を含む識別記号を管に自動マーキング』する。
【００３９】
「トラッキング処理装置から抽出する前記情報」とは、個々のＵベンド素管の製造履歴情報、曲げ加工情報、および、曲げ加工からこのマーキング工程まで、各工程に供される個々の管に対応する前記情報（例えば、前記の不良管情報）である。不良管はライン外へ排出されているので、不良管に関する情報を除いたＵベンド素管の製造履歴情報および曲げ加工情報（各工程に供される個々の管に対応する前記情報、つまり補充された情報が含まれる）を含む識別記号を管の所定位置にマーキングすることになる。なお、「前記情報を含む識別記号をマーキングする」としているのは、前記情報以外に、簡単な数字や符号がマーキングに加えられることがあるからである。
【００４０】
前記の「管端相当位置」とは、管端切断工程で管が切断されたときに管端に相当する位置であり、曲げ半径と足長さから算出することができる。「管の所定位置」は、この管端相当位置を基準として決められる。例えば、以下のように管端相当位置を求め、管の所定位置にマーキングする。
【００４１】
ｉ）管の曲げ部中央の背側を基準とし、「曲げ半径＋足長さ」で管端相当位置を決める（後述する図２参照）。足長さは、通常３〜１０ｍ程度である。
【００４２】
ii）その管端相当位置から２００〜３００ｍｍ内側（管の曲げ部に近い側）の管外表面を管の所定位置とし、その部分にマーキングを行う。なお、その際、曲げ加工情報に基づき、管の所定位置がＵベンド管の曲げ開始側および曲げ終了側のいずれに相当するかが判別される。
【００４３】
このように、管の所定位置にマーキングを行うのは、曲げ加工工程後の余長（管端切断で切り落とす長さ）が個々の管によって異なるからである。マーキングは管端切断工程前に行うので、折角マーキングを行っても所定長さに切断した時にマーキング部分が切り落とされたり、出荷後、原子力発電用の熱交換器などに使用される場合は、Ｕベンド管を管板へ溶接する際にマーキングが隠れてしまうのを防止することができる。
【００４４】
マーキングは自動マーキング装置により行う。本発明のマーキング方法を適用する対象がオンライン精整処理設備で製造されるＵベンド管であり、マーキングを手作業で行う余裕がなく、また手作業では能率が低下するからである。
【００４５】
マーキングの実施に際しては、自動マーキング装置のマーキングヘッド部を管の所定位置へ移動させてもよいし、Ｕベンド管を移動させ、前記管の所定位置をマーキングヘッド部に対向させてもよい。
【００４６】
マーキングの方法としては、ステンシル塗装による方法、電解エッチングを利用する方法、レーザーを利用する方法等、公知の方法が適用できる。マーキング後の精整処理、梱包、あるいはＵベンド管の使用時における管板への取り付け加工等で剥がれたり消えたりしないマーキングができる方法であればよい。
【００４７】
以上述べた本発明のＵベンド管のマーキング方法によれば、Ｕベンド管のオンライン精整処理中に、個々のＵベンド素管の製造履歴情報および曲げ加工情報をそれぞれの管の所定位置にマーキングすることができる。これにより、Ｕベンド管の納入時や、管板への取り付け加工時のみでなく、蒸気発生器等としての使用時においても、個々のＵベンド管の製造履歴（素管の製造履歴および曲げ加工条件）を把握でき、確実な品質管理が可能となる。
【００４８】
次に、前記（２）に記載の本発明のＵベンド管のオンライン精整処理設備について説明する。
【００４９】
本発明のＵベンド管のオンライン精整処理設備は、前記のとおり、曲げ加工、熱処理、耐圧試験、管端切断、面取りおよび検査・クリーニングの各工程を有し、曲げ加工後で管端切断工程より前にマーキング工程を設けたＵベンド管のオンライン精整処理設備であって、曲げ加工に供される個々のＵベンド素管の製造履歴情報および曲げ加工情報ならびに曲げ加工後で管端切断工程より前に設けられたマーキング工程までの各工程に供される個々の管に対応する前記情報が入力されるトラッキング処理装置、および、前記マーキング工程で、管端切断工程で切断される管の管端相当位置を基準とする管の所定位置を決定し、前記トラッキング処理装置より抽出した情報を含む識別記号を出力し、前記所定位置にマーキングする自動マーキング装置を備える設備である。
【００５０】
曲げ加工、熱処理、耐圧試験、管端切断、面取りおよび検査・クリーニングの各工程は、前述のとおり、特許文献１に記載されるＵベンド管の精整処理設備により実施することができる。すなわち、本発明のＵベンド管のオンライン精整処理設備の特徴は、精整処理工程の所定の段階（つまり、曲げ加工後で管端切断工程より前）にマーキング工程が設けられ、その工程での処理を行うために、トラッキング処理装置および自動マーキング装置を具備していることにある。
【００５１】
図２は、マーキング工程に設けられたトラッキング処理装置および自動マーキング装置の概略構成例を示す図である。
【００５２】
図２に示すように、マーキング工程には、トラッキング処理装置１と、この装置１に接続され、前記トラッキング処理装置１より抽出した情報を含む識別記号をＵベンド管５の所定位置にマーキングする自動マーキング装置２が配設されている。なお、Ｕベンド管５は、半円を形成する曲げ部５ａと曲げ後の直管部（足部）５ｂからなる。
【００５３】
トラッキング処理装置１には、個々のＵベンド素管の製造履歴情報および曲げ加工情報、ならびに曲げ加工後で管端切断工程より前に設けられたマーキング工程までの各工程に供される個々の管に対応する前記情報（不良管情報を含む）（以下、これらの情報を「（Ｕベンド管の）履歴情報」ともいう）が入力される。図２に記した「情報入力」の「情報」とは、このＵベンド管の履歴情報を指す。図示した例では、さらに、「個々の管の工程位置」も入力されている。個々の管とは、Ｕベンド素管またはＵベンド管を意味する。この工程位置に関する情報によって、精整処理工程に供給される個々の管の工程内における位置が把握でき、精整処理の進捗状況、ならびに、次にマーキング工程に搬入される管とその管の履歴情報を確認できるので、望ましい。
【００５４】
自動マーキング装置２は、図２に示すように、Ｕベンド管５の所定位置に前記情報を含む識別記号をマーキングするためのマーキングヘッド３と、Ｕベンド管５の曲げ部中央の背側（図２において、符号Ｐを付した点の背側）を基準としてＵベンド管の位置を確定する（これを、「背側位置決め」という）ためのセンサー４を備えている。
【００５５】
このように構成されたトラッキング処理装置および自動マーキング装置が設けられたマーキング工程に、Ｕベンド管５が搬入され、マーキングのための定位置に誘導されると、センサー４がこれを検知し、同時に、背側位置決めが行われる。
【００５６】
自動マーキング装置２は、この位置決めされたＵベンド管５についての履歴情報をトラッキング処理装置１から抽出し、その情報に基づいて、前述の「曲げ半径＋足長さ」により管端相当位置を決め、これを基準として管の所定位置を定める。図２中の符号Ｐ１、Ｐ２が管端相当位置を示す。なお、Ｕベンド管の履歴情報は、通常は、精整処理設備への個々の管の供給順にしたがって入力されているので、位置決めされたＵベンド管５に対応する履歴情報の抽出は容易である。
【００５７】
続いて、自動マーキング装置２は、履歴情報を含む識別記号をＵベンド管５の所定位置へマーキングすべしとの信号をマーキングヘッド３に対して出力し、その指示を受けたマーキングヘッド３によりＵベンド管の所定位置に前記識別記号がマーキングされる。マーキング終了後のＵベンド管は次工程へ送られる。
【００５８】
本発明のＵベンド管のオンライン精整処理設備は、このように、オンラインで本発明のマーキング方法を実施できる設備をライン内に有するＵベンド管の精整処理設備である。
【００５９】
この設備により、前記図１に示した各工程での精整処理を行うことができる。マーキング工程は、前述のように、図１に示すＡ、Ｂ間のいずれかの段階に設けられていればよい。望ましくは、曲げ加工工程に近いところである。
【００６０】
本発明のＵベンド管のオンライン精整処理設備を使用すれば、Ｕベンド管のオンライン精整処理中に、本発明のマーキング方法を実施し、精整処理が施される個々の管の所定位置にＵベンド管の履歴情報をマーキングすることができる。
【産業上の利用可能性】
【００６１】
本発明のＵベンド管のマーキング方法は、曲げ加工に供される個々のＵベンド素管の製造履歴情報および曲げ加工情報をトラッキング処理装置に入力し、精整ラインの特定の位置（曲げ加工後で管端切断工程より前）で、前記情報を抽出し、マーキングする方法である。Ｕベンド管の納入時や、特に原子力発電用の蒸気発生管として用いられる場合には、管板への取り付け加工時のみでなく、蒸気発生器として実際に使用されている時点においても個々の管の製造履歴を把握でき、確実な品質管理が可能となる。
【００６２】
また、本発明のＵベンド管のオンライン精整処理設備を使用すれば、精整処理工程の特定の段階にマーキング工程が設けられているので、オンラインで支障なく前記マーキング方法を実施することができる。
【００６３】
したがって、本発明のＵベンド管のマーキング方法およびオンライン精整処理設備は、Ｕベンド管のオンライン精整処理中における識別記号のマーキング方法として、また、その工程を組み込んだオンライン精整処理設備として有効に利用することができる。
【図面の簡単な説明】
【００６４】
【図１】本発明のマーキング方法を適用しようとするＵベンド管のオンライン精整処理工程を例示する概略図である。
【図２】本発明のＵベンド管のオンライン精整処理設備を用いて行う精整処理工程において、マーキング工程に設けられたトラッキング処理装置および自動マーキング装置の概略構成例を示す図である。
【符号の説明】
【００６５】
１：トラッキング処理装置
２：自動マーキング装置
３：マーキングヘッド
４：センサー
５：Ｕベンド管、５ａ：曲げ部、５ｂ：曲げ後の直管部（足部）
【図１】
2008200736.tif 000003
【図２】
2008200736.tif 000004